(57)【要約】      （修正有）【課題】目立つことなく気軽に手鏡を見ることができ、簡易に身なりを整えることができる手鏡装着携帯型電話機を提供する。【解決手段】携帯型電話機に、ガラスを素材とする鏡を折りたたみ式で物理的に裏面に装着し、この鏡の淵と背面を軽量で薄い硬質な金属や樹脂系材料などによって衝撃から保護し、折りたたみ式携帯型電話機は開閉を行う軸の部分で電話機本体と一体化を成し、それ以外の携帯型電話機については、鏡の部分が単独で折りたたみ可能となるようにする。【選択図】図１
0003138181.tif 000002
【実用新案登録請求の範囲】
【請求項１】
携帯電話機に一般に使われている手鏡の装備を施して、電話機能を使うが如く何時何処においても鏡を開くことを可能として、自身の身なりを簡易で気安く整えることが出来るようにする。なお、携帯電話の機能とは全く別にした単なる鏡を装着したものとし、携帯電話の裏面に取り付ける内容とするが、鏡の不使用時は閉じることによって内側に向くように施し、淵を覆う部分と鏡の裏面は衝撃から守れる物質とする。
【考案の詳細な説明】
【技術分野】
【０００１】  本考案は、携帯型電話機に手鏡の装着で、手軽に身なりを整えることができる便利さを得ようとするものである。特に女性は手鏡が外出時必需品の一つであって、常にかばんの中に収めて出し入れし、髪を整え化粧の状況を確認するなどを行っている。携帯型電話機にはカメラも備えて自身の側にレンズを向けることで、手鏡の役目を果たすことも考えられるが、機能の複雑さを避けて単に鏡を装備することで便利さを得ようとするものである。携帯電話機の裏側はバッテリー収納や呼び出し音発生装置の装着程度で、日常の使用に際しては見る必要もないと言えるため、この裏面いっぱいの鏡を装備することが可能でもあり、装置を複雑にすることなくシンプルで安易に手鏡の利用が可能となる。
【背景技術】
【０００２】  手鏡も最近は軽量で薄くなっており、携帯電話の裏面いっぱいに装備しても総合した重量や厚さはあまり増加することもなく簡易に取り付け出来る。また、かばん奥からの手鏡の出し入れは、特に回数の多い女性にしてみれば、携帯電話に装備されていることで便利さも増し、携帯電話を見ている感覚で鏡をのぞくことが出来、気楽に利用が可能である。
【考案の開示】
【考案が解決しようとする課題】
【０００３】  男女を問わず日頃外出時には自身の身なりには気を使っているが、特に女性の多くは常に手鏡を携帯しており、気象状況による髪の乱れや汗による化粧の変化などに気配りをしている。このため複雑な操作もせず、簡便に鏡を手に出来る手段は望むところであり、極自然に鏡と対面できる環境を考え課題とした。
【課題を解決するための手段】
【０００４】  雑踏の中や電車などの乗り物内でもインターネットや電話等が出来る時代になって、それに使われている携帯電話の普及率は目覚しいものがあり、昨今は小学生にも持たせる時代となっている。メールの送受信など多機能を有しているため、簡単にポケットから出しては利用し常に手に持っている感覚で扱っており、ここに着目して携帯電話に手鏡を装着して利便さを追求しようとすることとした。単なる鏡を裏蓋のように装備することで携帯電話の機能を妨げず、手に持っている限り何時でも鏡を見ることが出来ることで解決の手段とする。このため周囲の人からはあまり気付かれずに身なりを整えることが可能となる。
【考案の効果】
【０００５】  一般に女性のほとんどが手提げかばんの中、化粧箱に手鏡を入れて常に携帯しており、外出時にはかばんを開けては出し入れして鏡をのぞいては納得し、時には髪ブラシや化粧品を共に出して補修怠りないが、ポケットなど手軽に持ち歩いている携帯電話は、常に出しやすいところに入れていることで動作も速く、時間に急かれる時などには鏡を有した携帯電話は便利であって、行為そのものが効率的に行われる。また、男性においては一寸髪を見るか撫でる程度であるが、携帯電話に装着していることで鏡を見ている感覚は無く、髪の乱れ具合などその場での確認には、携帯電話を見る自然体で目立つことも無く行為を行うことが出来る。
【考案を実施するための最良の形態】
【０００６】  装着した手鏡は、本来のものと同様のものとして携帯電話に単に取り付けた状態に装備するため、携帯電話機能の内容すなわち回路との関係を阻害することなく、単独で鏡一枚を装備してその使命を果たすことが出来るような方法が簡便で使い易いと考えた。
このため、携帯電話を普段手にして使いながらもほとんど見る事の無い裏面が、装着にいちばん適していると考える。この裏面は一般に、電池パックの挿入ポケットや小さな呼び出し用スピーカーの装備がされており、日常見たり開いたりする必要なものではないので、鏡で塞ぐことになっても問題はなく、呼び出し音については音の出口を横に出すなどの方法で対応できる。【０００７】  携帯電話機の形には大きく分けて折畳式と平面一枚形の二種類があるが、最近は折畳式が主流の傾向にあり、どの形においても裏面の装備は同じような設備を有しており、装着する手鏡が裏面全体を占める方法をとっても、携帯電話の操作上に関しては全く危惧することはない。【０００８】  装備する手鏡については折り畳んで収納する方法をとり、鏡の折り畳んだ外側は硬質の固い材質をもってカバーし、開いた時に鏡の部分が見えるようにすることで、日常使用しない場合には伏せられた状態とする。
【実施例】
【０００９】  ある一つの電話機についてのデータによる折り畳み式の寸法は、横５１ｍｍ、１０３ｍｍと表示されており、折り畳み部分や外枠などにとられることを考慮して、横４５ｍｍ、８０ｍｍの鏡を装着することで検討したところ、手鏡に要求する大きさは十分といかないまでも満足した結果を得た。
【産業上の利用可能性】
【００１０】  近年携帯電話にはカメラが装備されて機能がより多面的に増してきているが、このカメラ装備を利用することで、手鏡に近い動作を負担させることも技術的には可能と考える。しかしこの考案のように、単なる鏡の装着で簡単にその目的を達成出来ることなら、無理に複雑化した道を選ぶことはないと考えた結果、廉価で出来る可能な方法をとって扱いやすくしたものである。
【図面の簡単な説明】
【００１１】
【図１】  携帯用電話機の本体に手鏡を装着した裏面からの図で、開いた上部に鏡を有しており、不使用時は閉じることによって鏡は内側になって衝撃から保護される。
【図２】  携帯用電話機の表面から見た図であるが、一般にこのような形式が普及しており、操作ボードのいちばん裏側には手鏡のボードが装着されている。
【符号の説明】
【００１２】１  装着された手鏡
２  鏡の淵と覆い
３  鏡の収納
４  携帯用電話機の本体
５  ディスプレイ
６  ディスプレイの収納
７  操作ボード
【図１】
0003138181.tif 000003
【手続補正書】
【提出日】平成19年7月18日(2007.7.18)
【手続補正１】
【補正対象書類名】実用新案登録請求の範囲
【補正対象項目名】全文
【補正方法】変更
【補正の内容】
【実用新案登録請求の範囲】
【請求項１】
携帯型電話機に、一般で使用されているガラスを素材とする鏡を携帯型電話機の電子回路と関係なく物理的に裏面に装着し、単に鏡の機能を利用しようとするもので、この鏡の淵と背面を軽量で薄い硬質な金属や樹脂系材料などによって衝撃から保護し、折りたたみ式携帯型電話機の開閉を行う軸の部分で電話機本体と一体化して、同様に鏡の部分も折りたたみが可能となるようにすることで、鏡の不使用時は折りたたむことにより鏡の部分が内側となって隠れ、鏡の使用時に開くことによって鏡が現れる方式で携帯型電話機に手鏡の装着を行う。
【手続補正２】
【補正対象書類名】明細書
【補正対象項目名】全文
【補正方法】変更
【補正の内容】
【考案の詳細な説明】
【技術分野】
【０００１】  本考案は、携帯型電話機に手鏡の装着で手軽に身なりを整えることができる便利さを得ようとするものであり、特に女性は手鏡が外出時必需品の一つであって、常にかばんの中に化粧品等と一緒に携帯しており、髪を整え化粧の状況を確認する等、電車内やかなり混雑したところにおいてもよく見かける行為となっていることから、携帯型電話機でのインターネットによるメールを見るような感覚で身なりの確認ができれば便利と考えたものである。最近は携帯型電話機にカメラも具備されているので、技術的にはこの機能を使った技術も考えられるが、本案は機能の複雑さを避けた単なる鏡を装備する極シンプルな方法で便利さを得ようとしており、携帯型電話機の裏側はバッテリー収納などによる日頃あまり見る必要もない部分を利用して、この裏面いっぱいに手鏡装着をするものとした。
【背景技術】
【０００２】  手鏡も最近は軽量で薄くなっており鏡保護のための淵や裏面を考慮した携帯型電話機の重量はあまり増加することもなくまた、携帯型電話機に加える手鏡の厚さも数ｍｍ程度の増加に収めることが可能であるため扱いに問題はないと考えられ、特に利用頻度の高い女性にしてみれば、かばんの奥からの手鏡の出し入れとは違って携帯型電話機に装着されていることで便利さも増し、携帯型電話機で情報やメールを見ている感覚で鏡をのぞくことが出来、気楽に利用が可能となる。
【考案の開示】
【考案が解決しようとする課題】
【０００３】  男女を問わず日頃外出時には自身の身なりには気を使っているが、特に女性の多くは常に手鏡を携帯しており、気象状況による髪の乱れや汗による化粧の変化などに気配りをしているので、複雑な操作もせずに簡便に手鏡を手にするにはどのようにするか、極自然に鏡と対面できる環境を考え課題とした。
【課題を解決するための手段】
【０００４】  雑踏の中や電車などの乗り物内でもインターネットや電話等が出来る時代になって、それに使われている携帯型電話機の普及率は目覚しいものがあり、昨今は安全面などを主体に小学生にも持たせる時代となっている。メールの送受信など多機能を有しているため、簡単にポケットから出しては利用し、常に手に持っている感覚で扱っていることに着目し、携帯型電話機に手鏡を装着して利便さを追求しようとする考えで、単なる鏡を裏蓋のように装備することで携帯型電話機の機能を妨げることなく、手に持っている限り何時でも鏡を見れる気安さがあって、周囲を気にすることもなく身なりへの気配りが可能となることから解決の手段とした。
【考案の効果】
【０００５】  一般に女性のほとんどが手提げかばんの中や化粧品入れに手鏡を合わせて持ち常に携帯しているが、外出時にはかばんを開けては出し入れして鏡をのぞいては納得し、時には髪ブラシや化粧品を共に出して補修怠りないが、携帯型電話機も常に手で持つかポケットに入れたりかばんの内外などに手軽に持ち歩いており、鏡を有した携帯型電話機は即応性もあって時間に急かれる時などにはその効果を発揮し、行為そのものが効率的に行い得る。【０００６】  男性においては一寸髪を見るが撫でる程度で頻度も低いが、携帯型電話機に装着していることで鏡を見ている感覚を持つことなく、強風時の髪の乱れ具合などその場での確認をあまり目立つことなく行うことが出来る。
【考案を実施するための最良の形態】
【０００７】  装着した手鏡は本来のガラスを材料としたもので考え、携帯型電話機に単に取り付ける一体型の状態として装着するため、携帯型電話機の内部機能との関係がなく、それを阻害することがない方法で単に鏡一枚を装着して利便さを得ることとし、携帯型電話機を普段手にして使いながらもほとんど見る事の無い裏面が、装着にいちばん適していると考えたもので、鏡の不使用時には内側となって鏡が隠れ、鏡を覆った裏側の部分が安全に保護する。鏡の利用時や携帯型電話機の裏面を開く必要時には、鏡を開くことで両者を簡単に可能とする形態を最良とした。【０００８】  装備する手鏡については折り畳んで収納する方法をとり、鏡の淵と折りたたんだ裏側は硬質で薄い材質をもってカバーし、開いた時に鏡の部分が見えるようにすることで目的を達し、携帯型電話機裏面を開く必要時にも同じく鏡を開くことで何ら支障はなく、日常使用しない場合には伏せられた状態とする。
【実施例】
【０００９】  ある一つの電話機についてのデータによる折り畳み式の寸法は、横５１ｍｍ、縦が１０３ｍｍと表示されており、折りたたみ部分や外枠などにとられることを考慮して、横４５ｍｍ、縦８０ｍｍ程度の鏡を装着することで検討したところ、手鏡に要求する大きさは十分とは言えないまでも、利便さで満足出来る結果となった。
【産業上の利用可能性】
【００１０】  日頃多くの人々に愛用されている携帯型電話機は、歩行中や自宅、職場などで常に鞄やポケットに入れるかして、多くの愛用者が何処においても手に持ってその機能の便利さを享受しているが、昨今は重要な必携品の一つとなってきているので、これに従来から女性の必携品の一つとなっている手鏡を装着して利用すれば、携帯型電話機にもう一つ便利な機能を追加出来ることになると考え、携帯型電話機に手鏡の装着をしようとするものである。
【図面の簡単な説明】
【００１１】
【図１】  携帯型電話機に装着する手鏡の単体。
【図２】  携帯型電話機に手鏡を装着した裏面からの図で、開いた上部に鏡が開かれており、不使用時は閉じることによって鏡は内側になって衝撃から保護される。
【図３】  折りたたみ型の携帯型電話機を、開かれた表面から見た図であるが、携帯型電話機本体裏側には装着された鏡が折りたたんで収納されている。
【符号の説明】
【００１２】  １  装着する手鏡
２  手鏡の保護枠
３  携帯型電話機と手鏡の装着部
４  携帯型電話機の本体
５  携帯型電話機の本体の裏面
６  携帯型電話機のディスプレイ
７  装着された手鏡
８  携帯型電話機の操作ボード
【手続補正３】
【補正対象書類名】図面
【補正対象項目名】全図
【補正方法】変更
【補正の内容】
【図１】
0003138181.tif 000004
【図２】
0003138181.tif 000005
【図３】
0003138181.tif 000006
【手続補正書】
【提出日】平成19年9月21日(2007.9.21)
【手続補正１】
【補正対象書類名】実用新案登録請求の範囲
【補正対象項目名】全文
【補正方法】変更
【補正の内容】
【実用新案登録請求の範囲】
【請求項１】
携帯型電話機に、一般で使用されているガラスを素材とする鏡を折りたたみ式で物理的に裏面に装着し、鏡機能を付加することで携帯型電話機機能の一部として扱い、一般に利用されている手鏡として簡易に利用することが可能とするものとし、この鏡の淵と背面を軽量で薄い硬質な金属や樹脂系材料などによって衝撃から保護し、折りたたみ式携帯型電話機は開閉を行う軸の部分で電話機本体と一体化を成し、それ以外の携帯型電話機については、鏡の部分が単独で折りたたみ可能となるようにする。いずれの電話機についても裏面に鏡の部分が折りたためるようにすることで、鏡の不使用時は折りたたむことによって鏡の部分が内側となって隠れ、鏡の使用時に開くことによって鏡が現れる手鏡装着携帯型電話機。
【手続補正２】
【補正対象書類名】明細書
【補正対象項目名】全文
【補正方法】変更
【補正の内容】
【考案の詳細な説明】
【技術分野】
【０００１】  本考案は携帯型電話機に手鏡の装着で手軽に身なりを整えることができる便利さを得ようとするものであり、特に女性は手鏡が外出時必需品の一つであって、常にかばんの中に化粧品等と一緒に携帯しており、髪を整え化粧の状況を確認する等、電車内やかなり混雑したところにおいてもカバンなどから出しては対面している行為が見られることから、携帯型電話機でのインターネットによるメールを見るような気軽な感覚で、身なりのチェックや確認ができれば便利と考えたものである。最近は携帯型電話機にカメラも具備されているので、技術的にはこの機能を使った技術も考えられるが、本案は機能の複雑さを避けた単なる鏡を装着するごくシンプルな方法で便利さを得ようとしたもので、一般的に携帯型電話機の裏側はバッテリー収納など、日頃あまり見る必要もない部分を利用して、この裏面いっぱいに鏡を装着するものである。
【背景技術】
【０００２】  手鏡も最近は軽量で薄くなっており、鏡及び保護のための淵や裏面を考慮した携帯型電話機の重量は、あまり増加することもなくまた、加わる鏡部分の厚さも数ｍｍ程度の増加に収めることが可能で問題にならない範囲と考えられ、特に利用頻度の高い女性にしてみれば、かばんの奥からの手鏡の出し入れとは違って、携帯型電話機に装着されていることで便利さも増し、携帯型電話機で情報やメールを見ている感覚で鏡をのぞくことが出来るのは、あまり周囲に気を配ることなく身なりを整えうることができる。
【考案の開示】
【考案が解決しようとする課題】
【０００３】  男女を問わず日頃外出時には自身の身なりには気を使っているが、特に女性の多くは常に手鏡を携帯しており、気象状況による髪の乱れや汗による化粧の変化などに気配りをしているので、複雑な操作もせずに簡便に手鏡を手にするにはどのようにするか、近年携帯型電話機普及のめざましさに着目して、ごく自然に鏡と対面できる環境を考え課題とした。
【課題を解決するための手段】
【０００４】  雑踏の中や歩行中においてもインターネットや電話等が出来る時代になって、それに使われている携帯型電話機の普及率は目覚しいものがあり、昨今は安全面などを主体に小学生にも持たせる時代となっている。メールの送受信など多機能を有しているため、簡単にポケットから出しては利用し、常に手に持っている感覚で扱っていることに着目し、携帯型電話機に手鏡を装着してもう一つ利便さを得ようとする考えで、単なる鏡を裏蓋のように装備することで携帯型電話機の機能を妨げることなく、手に持っている限り何時でも鏡を見ることのできる気安さがあって、周囲を気にすることもなく身なりへの気配りが可能となることから解決の手段とした。
【考案の効果】
【０００５】  一般に女性のほとんどが手提げかばんの中や化粧品入れに手鏡を合わせて持ち常に携帯しているが、外出時にはかばんを開けては出し入れして鏡をのぞいては納得し、時には髪ブラシや化粧品を共に出して補修怠りないが、携帯型電話機も常に手で持つかポケットに入れたりかばんの内外などに手軽に持ち歩いており、必携品の中でもいちばん出しやすい条件においているため、鏡を有した携帯型電話機は即応性もあって時間に急かれる時などにはその効果を発揮し、行為そのものが効率的に行い得る。【０００６】  男性においては一寸髪を見るか撫でる程度で利用の頻度も低いが、手鏡装着携帯型電話機を持つことによって、強風時などの髪の乱れ具合を確認や接客時などに手直しなど目立つことなく手鏡を見て行うことが出来る。
【考案を実施するための最良の形態】
【０００７】  装着した手鏡は本来のガラスを材料としたもので考え、携帯型電話機に単に取り付ける一体型の状態として装着するため、携帯型電話機の内部機能との関係がなく、それを阻害することがない方法で単に鏡一枚を装着して利便さを得ることとし、携帯型電話機を普段手にして使いながらもほとんど見る事の無い裏面が、装着にいちばん適していると考えたもので、鏡の不使用時には内側となって鏡が隠れ、鏡を覆った裏側の部分が安全に保護する。鏡の利用時や携帯型電話機の裏面を開く必要時には、鏡を開くことで両者を簡単に可能とする形態を最良とした。【０００８】  装着する手鏡については折り畳んで収納する方法をとり、鏡の淵と折りたたんだ裏側は硬質で薄い材質をもってカバーし、開いた時に鏡の部分が見えるようにすることで目的を達し、手鏡装着携帯型電話機裏面を開く必要時にも同じく鏡を開くことで何ら支障はなく、日常使用しない場合には伏せられた状態とする。
【実施例】
【０００９】  ある一つの携帯型電話機についてのデータによる折り畳み式の寸法は、横５１ｍｍ、縦が１０３ｍｍと表示されており、どのメーカーやそれぞれの機種においてもほぼ同等の寸法であったので、折りたたみ部分や外枠などにとられることを考慮して、横４５ｍｍ、縦８０ｍｍ程度の鏡を装着することで検討したところ、手鏡に要求する大きさは十分とは言えないまでも、利便さで満足出来る結果であった。
【産業上の利用可能性】
【００１０】  日頃多くの人々に愛用されている携帯型電話機は、歩行中や自宅、職場などで常に鞄やポケットに入れるかして、多くの愛用者が何処においても手に持ってその機能の便利さを享受しているが、昨今は重要な必携品の一つとなってきているので、これに従来から女性の必携品の一つとなっている手鏡を装着して利用すれば、携帯型電話機にもう一つ便利な機能を追加出来ることになると考え、手鏡装着携帯型電話機とした。
【図面の簡単な説明】
【００１１】
【図１】  手鏡装着携帯型電話機に装備する手鏡の単体。
【図２】  手鏡装着携帯型電話機を裏面から見た図で、開いた上部に手鏡が開かれており、不使用時は閉じることによって手鏡は内側になって衝撃から保護される。
【図３】  手鏡装着携帯型電話機を表面から見た図で、電話機の本体裏側に装着された手鏡が折りたたんで収納されている。
【符号の説明】
【００１２】    １  装着する手鏡
２  手鏡の保護枠
３  携帯型電話機と手鏡の装着部
４  携帯型電話機の本体
５  携帯型電話機本体の裏面
６  携帯型電話機のディスプレイ
７  装着された手鏡
８  携帯型電話機の操作ボード